(57)【要約】【課題】定電流ユニットに入力された直流電圧が僅かに変動しても、同じ大きさの定電流を安定して出力し、発光ダイオードを安定して発光させる発光ダイオード光源モジュールおよびその定電流ユニットを提供する。【解決手段】定電流ユニット３０、および発光ダイオードモジュール４０を含む。定電流ユニット３０は、電圧安定化ユニット３１および抵抗３２を有する。電圧安定化ユニット３１は、入力端子３１１、第１の出力端子３１２および第２の出力端子３１３を有する。入力端子３１１は、直流電圧を入力し、入力された直流電圧の大きさがいかに変動しても、安定した電圧を出力することができる。抵抗３２は、電圧安定化ユニット３１の第１の出力端子３１２と第２の出力端子３１３との間に並列されている。発光ダイオードモジュール４０は、定電流ユニット３０の第１の出力端子３１２に電気的に接続されている。【選択図】図２
0003149620.tif 000002
【実用新案登録請求の範囲】
【請求項１】
電圧安定化ユニットと、発光ダイオードモジュールとを備える発光ダイオード光源モジュールであって、
前記電圧安定化ユニットは、入力端子、第１の出力端子および第２の出力端子を有し、前記入力端子は直流電圧を入力し、前記第１の出力端子は一定の電流を出力する電圧安定化ユニットと、前記第１の出力端子と前記第２の出力端子との間に並列されている抵抗とを有し、
前記発光ダイオードモジュールは、前記第１の出力端子に電気的に接続されていることを特徴とする発光ダイオード光源モジュール。
【請求項２】
前記発光ダイオードモジュールは、１つの発光ダイオードを有することを特徴とする請求項１に記載の発光ダイオード光源モジュール。
【請求項３】
前記発光ダイオードモジュールは、複数の発光ダイオードを有し、前記複数の発光ダイオードは相互に直列されていることを特徴とする請求項１に記載の発光ダイオード光源モジュール。
【請求項４】
前記発光ダイオードモジュールは、複数の直列発光ダイオードモジュールを有し、前記複数の直列発光ダイオードは相互に並列されていることを特徴とする請求項１に記載の発光ダイオード光源モジュール。
【請求項５】
交流電圧を直流電圧に変換する直流／交流整流ユニットをさらに備えることを特徴とする請求項１に記載の発光ダイオード光源モジュール。
【請求項６】
入力端子、第１の出力端子および第２の出力端子を有し、前記入力端子は直流電圧を入力し、前記第１の出力端子は一定の電流を出力する電圧安定化ユニットと、
前記第１の出力端子と前記第２の出力端子との間に並列されている抵抗とを有することを特徴とする発光ダイオード光源モジュールの定電流ユニット。
【考案の詳細な説明】
【技術分野】
【０００１】
本考案は、発光ダイオード光源モジュールおよびその定電流ユニットに関し、特に、発光ダイオードランプに用いられる発光ダイオード光源モジュールおよびその定電流ユニットに関する。
【背景技術】
【０００２】
以下、従来技術を図１を参照して説明する。
図１は、従来の発光ダイオード光源モジュールを示す図である。図１に示すように、従来の発光ダイオード光源モジュール１０は、複数の発光ユニット１１を含む。各発光ユニット１１は、すべて直流電圧源１２に並列している。各発光ユニット１１には、抵抗１１１および発光ダイオード１１２が配置され、抵抗１１１と発光ダイオード１１２とは、相互に直列されている。そのため、発光ダイオード１１２は、直流電圧源１２の出力する直流電圧を入力して発光する。
【０００３】
図１に示すように、直流電圧源１２の入力する電圧値が安定していると、発光ダイオード１１２に直列された抵抗１１１により、発光ダイオード１１２に導電する電流の大きさを制御することができる。これにより、定電流出力が可能になり、発光ダイオード１１２が安定して発光することができる。
【０００４】
しかし、直流電圧源１２の出力する電圧値に少しでも変動があると、発光ユニット１１に入力される電流に大幅な変動が生じ、不安定な電流が発生する。また、発光ユニット１１の発光ダイオード１１２の輝度に悪影響を与え、発光ダイオード１１２が明るくなったり暗くなったりすることもあり、発光ダイオード１１２が発生する熱エネルギが不安定になり、発光ダイオード１１２の寿命を縮めてしまうこともあった。
【先行技術文献】
【特許文献】
【０００５】
【特許文献１】特開２００８−１７１９８４号公報
【考案の概要】
【考案が解決しようとする課題】
【０００６】
本考案の第１の目的は、定電流ユニットに入力された直流電圧が僅かに変動しても、同じ大きさの定電流を安定して出力し、発光ダイオードを安定して発光させる発光ダイオード光源モジュールおよびその定電流ユニットを提供することにある。
本考案の第２の目的は、定電流ユニットが出力した電流が発光ダイオードの安全電流の範囲内に維持されるため、発光ダイオードが過電流により破損するのを予防する発光ダイオード光源モジュールおよびその定電流ユニットを提供することにある。
本考案の第３の目的は、抵抗が電圧安定化ユニットの第１の出力端子と第２の出力端子との間に並列されているため、定電流出力が可能になった発光ダイオード光源モジュールおよびその定電流ユニットを提供することにある。
【課題を解決するための手段】
【０００７】
上述の目的を達成するため、本考案は、発光ダイオード光源モジュールを提供する。  本考案の発光ダイオード光源モジュールは、定電流ユニット、および発光ダイオードモジュールを含む。定電流ユニットは、電圧安定化ユニットおよび抵抗を有する。電圧安定化ユニットは、入力端子、第１の出力端子および第２の出力端子を有する。入力端子は、直流電圧を入力することができ、入力された直流電圧の大きさがいかに変動しても、電圧安定化ユニットの作用により、安定した電圧を出力することができる。抵抗は、電圧安定化ユニットの第１の出力端子と第２の出力端子との間に並列されている。発光ダイオードモジュールは、定電流ユニットの第１の出力端子に電気的に接続されている。
【０００８】
すなわち、請求項１の考案は、発光ダイオード光源モジュールにおいて、電圧安定化ユニットと、発光ダイオードモジュールとを備える発光ダイオード光源モジュールであって、前記電圧安定化ユニットは、入力端子、第１の出力端子および第２の出力端子を有し、前記入力端子は直流電圧を入力し、前記第１の出力端子は一定の電流を出力する電圧安定化ユニットと、前記第１の出力端子と前記第２の出力端子との間に並列されている抵抗とを有し、前記発光ダイオードモジュールは、前記第１の出力端子に電気的に接続されていることを特徴とする。
請求項２の考案は、請求項１に記載の発光ダイオード光源モジュールにおいて、前記発光ダイオードモジュールは、１つの発光ダイオードを有することを特徴とする。
請求項３の考案は、請求項１に記載の発光ダイオード光源モジュールにおいて、前記発光ダイオードモジュールは、複数の発光ダイオードを有し、前記複数の発光ダイオードは相互に直列されていることを特徴とする。
請求項４の考案は、請求項１に記載の発光ダイオード光源モジュールにおいて、前記発光ダイオードモジュールは、複数の直列発光ダイオードモジュールを有し、前記複数の直列発光ダイオードは相互に並列されていることを特徴とする。
請求項５の考案は、請求項１に記載の発光ダイオード光源モジュールにおいて、交流電圧を直流電圧に変換する直流／交流整流ユニットをさらに備えることを特徴とする。
【０００９】
上述の目的を達成するため、本考案は、発光ダイオード光源モジュールに使用する定電流ユニットを提供する。本考案の定電流ユニットは、電圧安定化ユニットおよび抵抗を有する。電圧安定化ユニットは、入力端子、第１の出力端子および第２の出力端子を有する。入力端子は、直流電圧を入力することができ、入力された直流電圧の大きさがいかに変動しても、電圧安定化ユニットの作用により、安定した電圧を出力することができる。抵抗は、電圧安定化ユニットの第１の出力端子と第２の出力端子との間に並列されている。
【００１０】
すなわち、請求項６の考案は、発光ダイオード光源モジュールの定電流ユニットにおいて、入力端子、第１の出力端子および第２の出力端子を有し、前記入力端子は直流電圧を入力し、前記第１の出力端子は一定の電流を出力する電圧安定化ユニットと、前記第１の出力端子と前記第２の出力端子との間に並列されている抵抗とを有することを特徴とする。
【考案の効果】
【００１１】
本考案の発光ダイオード光源モジュールおよびその定電流ユニットは、定電流ユニットにより、発光ダイオードを安定して発光させることができる。また、定電流ユニットが安定した電流を出力するため、発光ダイオードが過電流により破損するのを予防することができる。また、定電流ユニットにより、発光ダイオードモジュールに入力される電流は、直流電圧の変動に影響されず、なんら変化しない。更に、電圧安定化ユニット第１の出力端子と第２の出力端子との間に抵抗が並列されているため、定電流出力を可能にした。
【図面の簡単な説明】
【００１２】
【図１】従来の発光ダイオード光源モジュールを示す図である。
【図２】本考案の第１の実施形態による発光ダイオード光源モジュールを示す図である。
【図３】本考案の第２の実施形態による発光ダイオード光源モジュールを示す図である。
【図４】本考案の第３の実施形態による発光ダイオード光源モジュールを示す図である。
【図５】本考案の第４の実施形態による発光ダイオード光源モジュールを示す図である。
【考案を実施するための形態】
【００１３】
以下、本考案の実施形態を図面に基づいて説明する。図２〜５を参照する。
図２は、本考案の第１の実施形態による発光ダイオード光源モジュールを示す図である。図３は、本考案の第２の実施形態による発光ダイオード光源モジュールを示す図である。図４は、本考案の第３の実施形態による発光ダイオード光源モジュールを示す図である。図５は、本考案の第４の実施形態による発光ダイオード光源モジュールを示す図である。図２に示すように、本考案の発光ダイオード光源モジュール２０は、定電流ユニット３０、および発光ダイオードモジュール４０を含む。
【００１４】
図２から図５において、定電流ユニット３０は、電圧安定化ユニット３１および抵抗３２を有する。電圧安定化ユニット３１は、電源を制御する集積回路でもよい。また、電圧安定化ユニット３１は、安定した電圧を出力する。電圧安定化ユニット３１は、入力端子３１１、第１の出力端子３１２および第２の出力端子３１３を有する。入力端子３１１は、直流電圧を入力することができ、入力された直流電圧の大きさがいかに変動しても、電圧安定化ユニット３１の作用により、安定した電圧を出力することができる。電圧安定化ユニット３１の第１の出力端子３１２は、Ｖｓｓ端子でもよく、第２の出力端子３１３は、Vｏｕｔ端子でもよい。
【００１５】
抵抗３２は、電圧安定化ユニット３１の第１の出力端子３１２と第２の出力端子３１３との間に並列されている。電圧安定化ユニット３１は、安定した電圧を出力するため、適切な抵抗値を有する抵抗３２を選択することにより、第１の出力端子３１２と第２の出力端子３１３との間電圧差を一定の電流に転換し、第１の出力端子３１２から出力する。
【００１６】
発光ダイオードモジュール４０は、定電流ユニット３０の第１の出力端子３１２に電気的に接続され、定電流ユニット３０の出力する定電流を入力する。発光ダイオード光源モジュール２０の操作において、定電流ユニット３０に入力された直流電圧が変動したとして、２４ワットの直流電圧の場合、２２ワットまたは２６ワットに変動しても、定電流ユニット３０は、同じ大きさの定電流を発光ダイオードモジュール４０に出力することができる。そのため、発光ダイオードモジュール４０は、安定して発光でき、寿命を延長させることもできる。
【００１７】
図２に示すように、発光ダイオードモジュール４０には、１つの発光ダイオード４１が配置されていたり、図３に示すように、必要に応じて複数の発光ダイオード４１が配置されることもある。各発光ダイオード４１は、相互に直列されることにより、発光ダイオードモジュール４０の輝度を増加させることができる。
【００１８】
図４に示すように、発光ダイオードモジュール４０は、複数の並列発光ダイオードモジュール４２を配置してもよい。並列された各並列発光ダイオードモジュール４２は、相互に直列された複数の発光ダイオード４１を含む。また、並列発光ダイオードモジュール４２間においては、並列方式により相互に電気的に接続されている。
【００１９】
図２〜４に示すように、符号１２が直接用いられて直流電圧として提供されているが、図５に示すように、交流電圧源を用いて発光ダイオード光源モジュール２０を稼動させるために、発光ダイオード光源モジュール２０は、直流／交流整流ユニット５０をさらに備える。直流／交流整流ユニット５０は、交流電圧を入力し、直流／交流整流ユニット５０の作用により交流電圧を直流電圧に変換する。変換後の直流電圧は、定電流ユニット３０内に入力され、発光ダイオードモジュール４０を導電する。
【００２０】
図２〜５に示すように、複数の発光ダイオード光源モジュール２０が同時に並列することにより、全体の輝度を上昇させることができる。また、いずれかの発光ダイオード光源モジュール２０が破損したとしても、その他の発光ダイオード光源モジュール２０内にある定電流ユニット３０は、発光ダイオードモジュール４０に入力する電流を一定に維持することができるため、発光ダイオードモジュール４０は、入力される電流が突然変化しても破損することはない。
【００２１】
以上のように、本考案の発光ダイオード光源モジュールおよびその定電流ユニットは、定電流ユニットの各実施形態では、発光ダイオードを安定して発光させることができ、定電流ユニットが安定した電流を出力するため、発光ダイオードが過電流により破損するのを予防することができ、定電流ユニットにより、発光ダイオードモジュールに入力される電流は、直流電圧の変動に影響されず、なんら変化しない。また、電圧安定化ユニット第１の出力端子と第２の出力端子との間に抵抗が並列されているため、定電流出力を可能にすることができる。
なお、本考案では好適な実施形態を前述の通りに開示したが、これらは決して本考案を限定するものではなく、当該技術を熟知する者は誰でも、本考案の精神と領域を脱しない範囲内で各種の変更や修正を加えることができ、従って、本考案の保護の範囲は、実用新案請求の範囲の均等の範囲である。
【符号の説明】
【００２２】
１２  直流電圧源
２０  発光ダイオード光源モジュール
３０  定電流ユニット
３１  電圧安定化ユニット
３２  抵抗
４０  発光ダイオードモジュール
４１  発光ダイオード
４２  並列発光ダイオードモジュール
５０  直流／交流整流ユニット
３１１  入力端子
３１２  第１の出力端子
３１３  第２の出力端子
【図１】
0003149620.tif 000003
【図２】
0003149620.tif 000004
【図３】
0003149620.tif 000005
【図４】
0003149620.tif 000006
【図５】
0003149620.tif 000007